(57)【要約】【課題】小型化を図ることのできるセンサ機器及びこれを備える制御システムを提供する。【解決手段】第１センサ機器６は、センサ部と、このセンサ部から検知した検知情報を外部へと送信する信号重畳分離回路とを備えている。この第１センサ機器６は、直流供給線路Ｗｄｌｃが接続される接続部を備えるとともに直流供給線路Ｗｄｌｃを介して直流電力の供給を受けて駆動し、信号重畳分離回路は、検知情報と電力とを重畳した直流重畳信号として直流供給線路Ｗｄｌｃを介して外部へと送信する。【選択図】図１
2011080764.tif 000002
【特許請求の範囲】
【請求項１】
センサ部と、このセンサ部から検知した検知情報を外部へと送信する送信部とを備えるセンサ機器において、
当該センサ機器は、電力線が接続される接続部を備えるとともに前記電力線を介して直流電力の供給を受けて駆動し、
前記送信部は、前記検知情報と電力とを重畳した直流重畳信号として前記電力線を介して外部へと送信する
ことを特徴とするセンサ機器。
【請求項２】
請求項１に記載のセンサ機器を複数個備えるとともに、前記各センサ機器と信号線を介してそれぞれ接続されるリレーユニットを備え、前記センサ機器から送信される検知情報を受信するとともにこの検知情報に基づいて前記リレーユニットが負荷機器の電力供給の制御を行う制御システムであって、
前記センサ機器の各々には、固有のアドレスが割り振られ、
前記各センサ機器には、自己のアドレスを前記リレーユニットに登録するアドレス設定部が設けられ、
前記送信部は、前記直流重畳信号として前記アドレスと前記検知情報とを有する信号を前記リレーユニットに送信し、
前記リレーユニットは、前記直流重畳信号を受信する受信部が設けられ、受信した直流重畳信号に含まれる検知情報及びアドレスに対応して前記負荷機器の電力供給の制御を行う
ことを特徴とする制御システム。
【請求項３】
請求項２に記載の制御システムにおいて、
当該制御システムには、前記センサ機器に設定信号を送信して、前記負荷機器の制御に関する設定を行う設定器が設けられ、
前記センサ機器は、人体検知を行うものであり、
前記設定器は、前記センサ機器が人体検知したときを始点として、前記負荷機器の前記始点からの動作保持時間を前記センサ機器に設定し、
前記センサ機器は、前記動作保持時間に基づいて前記リレーユニットに制御信号を送信する
ことを特徴とする制御システム。
【請求項４】
請求項２に記載の制御システムにおいて、
当該制御システムには、前記センサ機器に設定信号を送信して、前記負荷機器の制御に関する設定を行う設定器が設けられ、
前記負荷機器は、照明負荷であり、
前記センサ機器は、照度を検知し、
前記設定器は、前記センサ機器が検知した照度が予め設定した照度の判定値以下のときに前記負荷機器を点灯するように前記センサ機器に設定する
ことを特徴とする制御システム。
【発明の詳細な説明】
【技術分野】
【０００１】
本発明は、センサ部と、このセンサ部から検知した検知情報を外部へ送信する送信部とを備えるセンサ機器及びこれを備えた制御システムに関する。
【背景技術】
【０００２】
従来から熱線センサ等のセンサ機器を用いて、照明器具の点灯及び消灯を制御する制御システムが知られている（例えば、特許文献１参照）。このような従来の制御システムを図１５を参照して説明する。
【０００３】
図１５に示すように、制御システムＣＳは、商用電源である交流電源ＡＣから複数の負荷の電力供給のオンオフを制御するリレーユニットＲＵに電力を供給する。リレーユニットＲＵは、スイッチＳＷ及びセンサＳＣＲとの間で電力線搬送通信を行っている。これにより、リレーユニットＲＵとスイッチＳＷ及びセンサＳＣＲとの間を電力線と信号線との両方にて配線する構成よりも配線構造が簡素化することができる。ここで、上記電力線搬送通信は、交流電圧に信号電圧を重畳するものである。
【先行技術文献】
【特許文献】
【０００４】
【特許文献１】特開２００４−３１６９８２号公報
【発明の概要】
【発明が解決しようとする課題】
【０００５】
ところで、一般にセンサ機器は、直流電力にて駆動する。そのため、上記電力線搬送通信によりセンサ機器を駆動する場合、センサ機器内に設けられたＡＣ／ＤＣコンバータにより交流電力から直流電力に変換していた。したがって、センサ機器内には、ＡＣ／ＤＣコンバータが設けられるスペースが必要となり、センサ機器が大型化してしまう問題があった。
【０００６】
本発明は、上記実情に鑑みてなされたものであり、その目的とするところは、小型化を図ることのできるセンサ機器及びこれを備える制御システムを提供することにある。
【課題を解決するための手段】
【０００７】
以下、上記目的を達成するための手段及びその作用効果について記載する。
（１）請求項１に記載の発明は、センサ部と、このセンサ部から検知した検知情報を外部へと送信する送信部とを備えるセンサ機器において、当該センサ機器は、電力線が接続される接続部を備えるとともに前記電力線を介して直流電力の供給を受けて駆動し、前記送信部は、前記検知情報と直流電力とを重畳した直流重畳信号として前記電力線を介して外部へと送信することを要旨とする。
【０００８】
この発明によれば、接続部に電力線が接続されて、この電力線を介してセンサ機器に直流電力が供給されるため、センサ機器内に設けられるＡＣ／ＤＣコンバータを省略することができる。したがって、センサ機器の小型化を図ることができる。
【０００９】
（２）請求項２に記載の発明は、請求項１に記載のセンサ機器を複数個備えるとともに、前記各センサ機器と信号線を介してそれぞれ接続されるリレーユニットを備え、前記センサ機器から送信される検知情報を受信するとともにこの検知情報に基づいて前記リレーユニットが負荷機器の電力供給の制御を行う制御システムであって、前記センサ機器の各々には、固有のアドレスが割り振られ、前記各センサ機器には、自己のアドレスを前記リレーユニットに登録するアドレス設定部が設けられ、前記送信部は、前記直流重畳信号として前記アドレスと前記検知情報とを有する信号を前記リレーユニットに送信し、前記リレーユニットは、前記直流重畳信号を受信する受信部が設けられ、受信した直流重畳信号に含まれる検知情報及びアドレスに対応して前記負荷機器の電力供給の制御を行うことを要旨とする。
【００１０】
この発明によれば、各センサ機器の小型化を図ることができるため、これらセンサ機器を備える制御システムの大型化を抑制することができる。さらに、センサ機器に固有のアドレスが割り振られることにより、リレーユニットがセンサ機器の個々の信号に対応した負荷機器の制御を行うことができる。
【００１１】
（３）請求項３に記載の発明は、請求項２に記載の制御システムにおいて、当該制御システムには、前記センサ機器に設定信号を送信して、前記負荷機器の制御に関する設定を行う設定器が設けられ、前記センサ機器は、人体検知を行うものであり、前記設定器は、前記センサ機器が人体検知したときを始点として、前記負荷機器の前記始点からの動作保持時間を前記センサ機器に設定し、前記センサ機器は、前記動作保持時間に基づいて前記リレーユニットに制御信号を送信することを要旨とする。
【００１２】
この発明によれば、設定器とセンサ機器とが各別に設けられる構成であるため、センサ機器と設定器とが一体となる構成と比較して、センサ機器の負荷機器の制御に関する設定を容易に行うことができるようになる。
【００１３】
詳細には、センサ機器と設定器とが一体となる構成では、センサ機器を一度設置した後に設定を変更するときには、センサ機器を一度取り外して、センサ機器に設けられた設定器を用いて設定した後、センサ機器を再度取り付ける必要があった。したがって、センサ機器の設定作業が煩雑であった。
【００１４】
その点、本発明では、センサ機器とは各別に設けられた設定器により、このセンサ機器の設定を行うことが可能であるため、センサ機器を一度設置した後に設定を変更する場合にセンサ機器を取り外す作業及び再度取り付ける作業を省略することができる。
【００１５】
また設定器がセンサ機器の動作保持時間の設定を行うため、センサ機器側に動作保持時間を設定する機構を省略することができる。したがって、センサ機器の小型化を図ることができる。
【００１６】
（４）請求項４に記載の発明は、請求項２に記載の制御システムにおいて、当該制御システムには、前記センサ機器に設定信号を送信して、前記負荷機器の制御に関する設定を行う設定器が設けられ、前記負荷機器は、照明負荷であり、前記センサ機器は、照度を検知し、前記設定器は、前記センサ機器が検知した照度が予め設定した照度の判定値以下のときに前記負荷機器を点灯するように前記センサ機器に設定することを要旨とする。
【００１７】
この発明によれば、設定器とセンサ機器とが各別に設けられる構成であるため、センサ機器と設定器とが一体となる構成と比較して、センサ機器の負荷機器の制御に関する設定を容易に行うことができるようになる。
【００１８】
詳細には、センサ機器と設定器とが一体となる構成では、センサ機器を一度設置した後に設定を変更するときには、センサ機器を一度取り外して、センサ機器に設けられた設定器を用いて設定した後、センサ機器を再度取り付ける必要があった。したがって、センサ機器の設定作業が煩雑であった。
【００１９】
その点、本発明では、センサ機器とは各別に設けられた設定器により、このセンサ機器の設定を行うことが可能であるため、センサ機器を一度設置した後に設定を変更する場合にセンサ機器を取り外す作業及び再度取り付ける作業を省略することができる。
【００２０】
また設定器がセンサ機器の照度の設定を行うため、センサ機器側に照度の設定のための機構を省略することができる。したがって、センサ機器の小型化を図ることができる。
【発明の効果】
【００２１】
本発明によれば、小型化を図ることのできるセンサ機器及びこれを備える制御システムを提供することができる。
【図面の簡単な説明】
【００２２】
【図１】本発明のセンサ機器を備えた制御システムを具体化した第１の実施形態について、同制御システムの概略構成を示す模式図。
【図２】同実施形態のセンサ機器について、（ａ）同センサ機器の斜視構造を示す斜視図、（ｂ）同センサ機器の側面構造を示す平面図。
【図３】同実施形態のセンサ機器のブロック図。
【図４】同実施形態の制御システムを構成するリレーユニットのブロック図。
【図５】同実施形態の制御システムについて、センサ制御処理のフローチャート。
【図６】同実施形態の制御システムについて、電力供給処理のフローチャート。
【図７】同実施形態の制御システムについて、センサとリレーユニットとの関係を示すタイムチャート。
【図８】同実施形態の制御システムについて、センサとリレーユニットとの関係を示すタイムチャート。
【図９】同実施形態の制御システムを備えた電力供給システムの概要を示すシステム図。
【図１０】本発明のセンサ機器を備えた制御システムを具体化した第２の実施形態について、同制御システムの概略構成を示す模式図。
【図１１】同実施形態のセンサ機器のブロック図。
【図１２】同実施形態の制御システムを構成する設定器のブロック図。
【図１３】本発明のセンサ機器を備えた制御システムを具体化した第３の実施形態について、同制御システムの概略構成を示す模式図。
【図１４】同実施形態のセンサ機器のブロック図。
【図１５】従来の制御システムの概略構成を示す模式図。
【発明を実施するための形態】
【００２３】
（第１の実施形態）
図１〜図９を参照して、本発明のセンサ機器を備えた制御システムを具体化した第１の実施形態について説明する。
【００２４】
制御システムは、電源が親器（例えば、リレーユニット）及び親器を介して複数個の子器（例えば、センサ機器）に電力線（信号線）によって接続されることにより、親器及び子器にそれぞれ電力が供給されている。そして親器及び子器の間では、信号線を介して信号の授受が行われている。
【００２５】
各子器には固有のアドレスが設定され、親器には各子器の固有のアドレスが記憶されている。子器は親器へ送信する信号に自己のアドレスを載せることにより、親器はどの子器から信号が送信されたかを把握することができる。また、親器は子器へ送信する信号にアドレスを載せることにより、子器は自分のアドレスが載せられた信号のみを受信する。以上により、親器は複数個の子器を一括して管理している。
【００２６】
具体的には図１に示すように、制御システム１は、商用電源である交流電源ＡＣに接続されたＡＣ／ＤＣコンバータ２と、リレーユニット４と、スイッチ５と、第１センサ機器６及び第２センサ機器７とにより構成されている。
【００２７】
交流電源ＡＣとＡＣ／ＤＣコンバータ２との間は、交流系電力線Ｗａｃによって互いに接続されている。ＡＣ／ＤＣコンバータ２は、リレーユニット４と直流系電力線Ｗｄｃ１によって互いに接続されている。リレーユニット４とスイッチ５との間、及びスイッチ５と第１センサ機器６及び第２センサ機器７との間は、直流電力及びデータの両方を１対の線によって搬送可能な直流供給線路Ｗｄｌｃによりそれぞれ互いに接続されている。また、リレーユニット４は、第１負荷Ｌ１及び第２負荷Ｌ２と直流系電力線Ｗｄｃ２によってそれぞれ互いに接続されている。直流供給線路Ｗｄｌｃは、直流電圧に高周波の搬送波によりデータを電送する通信信号を重畳する、いわゆる電力線搬送通信により、１対の線で電力及びデータの両方を搬送している。
【００２８】
ＡＣ／ＤＣコンバータ２は、交流電源ＡＣを４８Ｖの直流電力に変換して、リレーユニット４に供給している。リレーユニット４には、４８Ｖの直流電圧を２４Ｖの直流電圧に変換するＤＣ／ＤＣコンバータ（不図示）が設けられている。そしてリレーユニット４は、４８Ｖの直流電力を第１負荷Ｌ１及び第２負荷Ｌ２に直流系電力線Ｗｄｃ２を介して供給し、２４Ｖの直流電力に信号電圧を重畳した電力信号をスイッチ５と第１センサ機器６及び第２センサ機器７に直流供給線路Ｗｄｌｃを介して供給している。
【００２９】
スイッチ５には、第１負荷Ｌ１及び第２負荷Ｌ２の電力供給のオンオフを押操作にて行う第１ハンドル５ａ及び第２ハンドル５ｂが設けられている。第１センサ機器６及び第２センサ機器７は、熱線センサによる人感検知センサ及び明るさセンサが設けられている。これらセンサ機器６，７の検知情報は、リレーユニット４に送信される。これにより、第１センサ機器６及び第２センサ機器７は、予め設定された領域において人の存在の検知とその領域内の明るさ（照度）の検知とを行っている。
【００３０】
以上の構成により、制御システム１は、第１センサ機器６及び第２センサ機器７のそれぞれの検知情報をリレーユニット４に送信し、リレーユニット４は受信した検知情報に基づいて、第１負荷Ｌ１及び第２負荷Ｌ２の電力供給のオンオフを制御している。
【００３１】
次に図２を参照して、第１センサ機器６の外観構造について説明する。なお第２センサ機器７は第１センサ機器６と外観構造が概ね共通であるため、その説明を省略する。
図２（ａ）に示すように、第１センサ機器６は、スイッチ装置１０、化粧プレート１１、集光レンズ１２及び取付部材１３から構成されている。第１センサ機器６は、スイッチ装置１０に集光レンズ１２が取り付けられた上で、このスイッチ装置１０及び化粧プレート１１を取付部材１３に取り付けることにより組み立てられる。そして取付部材１３によって、第１センサ機器６を例えば天井面に取り付けることにより、第１センサ機器６は天井面に保持されている。
【００３２】
図２（ｂ）に示すように、スイッチ装置１０には、直流供給線路Ｗｄｌｃ（図１参照）が直接接続される接続部１０ａと、直流供給線路Ｗｄｌｃからの直流電力の供給のオンオフを行うスイッチ要素（不図示）とが設けられている。このスイッチ装置１０には、人体から放射される熱線を検知する熱線センサが実装されたプリント配線板（ともに不図示）が収納されている。熱線センサは、例えば焦電センサとこの焦電センサの出力を増幅する増幅回路とにより構成されている。またスイッチ装置１０は、規格化された寸法（例えば、ＪＩＳ  Ｃ  ８３０４に規定された大角連用型の既成の取付枠に３個まで取付可能な配線器具の１個分の寸法）に形成されている。
【００３３】
化粧プレート１１は、スイッチ装置１０をその前方から覆う略円盤形状に形成されている。化粧プレート１１の中央部には、熱線センサに熱線を入射させるための円形状の貫通孔である窓穴１１ａが設けられている。
【００３４】
集光レンズ１２は、プリント配線板に取り付けられるとともに、スイッチ装置１０から前方に突出するように設けられている。そして集光レンズ１２は、窓穴１１ａを閉塞するとともに熱線センサの受光面に熱線を集光している。
【００３５】
取付部材１３は、化粧プレート１１及びスイッチ装置１０が取り付けられる略円盤状の基部１３ａと、基部１３ａから後方に突出するとともに天井面に取り付けられる取付部１３ｂとにより構成されている。
【００３６】
次に、図３及び図４を参照して、第１センサ機器６及びリレーユニット４の制御構成について説明する。なお第２センサ機器７は第１センサ機器６と制御構成が概ね共通であるため、その説明を省略する。
【００３７】
図３に示すように、第１センサ機器６は、接続部１０ａを介して直流供給線路Ｗｄｌｃと制御回路６ａとが接続されている。そして制御回路６ａは、信号重畳分離回路２０、電源回路２１、制御部２２、記憶部２３、アドレス設定部２４、熱線センサ回路２５、明るさセンサ回路２６、動作表示部２７、動作保持時間設定部２８及び感度設定部２９により構成されている。また検知機構６ｂは、集光レンズ１２（図２参照）の一部を覆うレンズフードを集光レンズ１２に取り付けることにより熱線センサの検知領域を設定している。
【００３８】
信号重畳分離回路２０は、リレーユニット４から第１センサ機器６に供給される直流重畳信号を直流電力と通信信号とに分離する機能及び第１センサ機器６からリレーユニット４に供給するために直流電力に通信信号を重畳する機能を併せ有するものである。
【００３９】
電源回路２１は、第１センサ機器６に供給される直流電力から制御回路６ａの他の回路の動作電力を生成している。
アドレス設定部２４は、第１センサ機器６の裏側（スイッチ装置１０の後方の面）に設けられたディップスイッチ（不図示）によって設定されたアドレスを記憶部２３に出力している。そして記憶部２３は、上記アドレスを第１センサ機器６の固有のアドレスとして記憶するとともに、上記アドレスを制御部２２に出力する。
【００４０】
動作保持時間設定部２８は、熱線センサにより人体が検知されて第１負荷Ｌ１への電力供給が開始してから第１負荷Ｌ１への電力供給を停止するまでの動作保持時間を設定している。感度設定部２９は、第１負荷Ｌ１が動作するための照度を設定している。これら動作保持時間設定部２８及び感度設定部２９は、第１センサ機器６の裏側（取付部材１４の後方の面）にそれぞれ設けられたつまみを手動操作することにより設定されている。
【００４１】
熱線センサ回路２５は、熱線センサを含み、動作保持時間設定部２８により設定された時間に亘り熱線センサによる検出情報を制御部２２に出力する。明るさセンサ回路２６は、照度センサを含み、照度センサによる検出情報及び感度設定部２９により設定された照度の信号（センサ信号）を制御部２２に出力する。
【００４２】
制御部２２は、上記アドレス、熱線センサ回路２５の検出情報、照度センサによる検出情報及び上記センサ信号をこれら信号を電送する通信信号として信号重畳分離回路２０に出力する。また制御部２２は、動作表示部２７に制御信号を出力する。
【００４３】
動作表示部２７は、発光ダイオードとこの発光ダイオードを点灯させる駆動回路とを有し、熱線センサに人体が検知されたときに発光ダイオードを点灯させることにより、その動作を表示している。
【００４４】
ここで、リレーユニット４から信号重畳分離回路２０に供給された直流重畳信号は、直流電力と通信信号とに分離された後、直流電力は電源回路２１に供給され、通信信号はリレーユニット４から制御部２２に入力される。
【００４５】
また、制御部２２に入力された上記アドレス、熱線センサ回路２５の検出情報、照度センサにより検出情報及び上記センサ信号は、信号重畳分離回路２０に通信信号として出力される。そして信号重畳分離回路２０によって上記通信信号と直流電圧との重畳が行われ、リレーユニット４に直流供給線路Ｗｄｌｃを介して直流重畳信号として出力される。これにより第１センサ機器６の固有の直流重畳信号としてリレーユニット４が受信する。
【００４６】
図４に示すように、リレーユニット４は、直流系電力線Ｗｄｃ１（図１参照）と接続する第１端子４ｂと直流供給線路Ｗｄｌｃと接続する第２端子４ｃと直流系電力線Ｗｄｃ２と接続する第３端子４ｄと制御回路４ａとにより構成されている。制御回路４ａは、受電部３０、複数の回路開閉制御部３１，３１…、制御部３２、記憶部３３、操作入力受付部３４、信号重畳分離回路３５及び動作表示部３６により構成されている。
【００４７】
受電部３０は、ＡＣ／ＤＣコンバータ２からの直流電力が供給されるとともに、各回路開閉制御部３１、制御部３２及び信号重畳分離回路３５にそれぞれ直流電力を供給している。
【００４８】
信号重畳分離回路３５は、第１センサ機器６及び第２センサ機器７からリレーユニット４に供給される直流重畳信号を直流電力と通信信号とに分離する機能及びリレーユニット４から第１センサ機器６及び第２センサ機器７に供給するために直流電力に通信信号を重畳する機能を併せ有するものである。
【００４９】
操作入力受付部３４は、リレーユニット４に設けられた操作部（不図示）によって行われる第１センサ機器６及び第２センサ機器７の各アドレスの登録の操作やリレーユニット４にて直接第１負荷Ｌ１及び第２負荷Ｌ２への給電制御を行う際の操作を受け付ける。そしてこれら操作の情報を制御部３２に出力する。
【００５０】
記憶部３３には、第１センサ機器６及び第２センサ機器７の各アドレスが記憶されるとともに、上記各アドレスを制御部３２に出力する。
制御部３２は、信号重畳分離回路３５からの通信信号が入力されるとともに、記憶部３３に記憶されたアドレスと照合し、第１センサ機器６及び第２センサ機器７のいずれかの機器から送信された通信信号かを判断する。そして、上記機器に応じた負荷の回路開閉制御部３１に対して制御信号を出力する。
【００５１】
回路開閉制御部３１は、制御部３２からの制御信号に基づいて、各回路開閉制御部３１に接続された負荷（例えば、第１負荷Ｌ１）の電力供給のオンオフを制御している。
動作表示部３６は、例えば各開閉回路制御部に対応した複数の発光ダイオードとこれら発光ダイオードを駆動する駆動回路とを有し、開閉回路制御部の電力供給が開始されたときに発光ダイオードを点灯させることにより、その動作を表示している。
【００５２】
以上により、例えば第１センサ機器６の熱線センサにより人体が検知されたときには、熱線センサ回路２５から制御部２２に検知情報が出力され、制御部２２から信号重畳分離回路２０を介してリレーユニット４に制御部２２の検知情報とアドレスとを併せた通信信号が直流重畳信号として送信される。このとき、動作表示部２７の発光ダイオードが点灯することにより、動作表示を行う。
【００５３】
リレーユニット４の信号重畳分離回路３５が上記信号を受信し、制御部３２に出力する。そして制御部３２は、上記信号から記憶部３３のアドレスと照合して、そのアドレスに対応した回路開閉制御部３１に制御信号を出力する。この制御信号に基づいて、回路開閉制御部３１は第１負荷Ｌ１の電力供給のオンオフを制御する。
【００５４】
次に、図５及び図６を参照して、本実施形態の制御システム１のセンサ制御及び電力供給処理の具体的な手順についてそれぞれ説明する。これら処理は、互いに同期して行われるとともに所定時間毎に繰り返し行われている。
【００５５】
図５を参照して、センサ制御は、制御部２２が行う制御であるとともに、熱線センサによる人体検知及び明るさセンサによる照度に基づいて、第１負荷Ｌ１の電力供給のための通信信号を予め設定された動作保持時間（以下、「動作保持時間ＫＴ」）に亘りリレーユニット４に信号重畳分離回路２０を介して直流重畳信号として送信する制御である。
【００５６】
具体的には、ステップＳ１０において人体検知がされたか否かを判断する。ここで、人体検知された場合（ステップＳ１０のＹＥＳ）、ステップＳ１１において照度ＬＸが予め設定された判定値ＬＸＪよりも低いか否かを判断する。ここで照度ＬＸが判定値ＬＸＪよりも低い場合（ステップＳ１１のＹＥＳ）、ステップＳ１２において通信信号の送信を開始する。一方、人体検知されない場合（ステップＳ１０のＮＯ）及び照度ＬＸが判定値ＬＸＪ以上の場合（ステップＳ１１のＮＯ）、第１負荷Ｌ１に電力供給する必要がないと判断し、一旦処理が終了する。
【００５７】
次いで、通信信号の送信の開始後にステップＳ１３において動作保持時間ＫＴ以内か否かを判断する。ここで、動作保持時間ＫＴ以内の場合（ステップＳ１３のＹＥＳ）、ステップＳ１４において再度人体検知がされたか否かを判断する。一方、動作保持時間ＫＴに達した場合（ステップＳ１３のＮＯ）、ステップＳ１５において通信信号の送信を停止する。
【００５８】
また人体検知がされなかった場合（ステップＳ１４のＮＯ）、再びステップＳ１３の判断を行う。また人体検知がされた場合（ステップＳ１４のＹＥＳ）、ステップＳ１６において動作保持時間ＫＴを一旦リセットし、再度動作保持時間ＫＴを設定する。
【００５９】
図６を参照して、電力供給制御は、制御部３２が行う制御であるとともに、第１センサ機器６の直流重畳信号に基づいて第１負荷Ｌ１の電力供給のオンオフを行う制御である。
具体的には、ステップＳ２０において制御部２２からの直流重畳信号を受信したか否かを判断する。ここで、上記直流重畳信号を受信した場合（ステップＳ２０のＹＥＳ）、ステップＳ２１において回路開閉制御部３１に閉駆動する旨の制御信号を送信する。これにより回路開閉制御部３１は上記制御信号に基づいて閉駆動して第１負荷Ｌ１に電力供給を行う。一方、上記直流重畳信号を受信しない場合（ステップＳ２０のＮＯ）、ステップＳ２２において回路開閉制御部３１に開駆動する旨の制御信号を送信する。これにより回路開閉制御部３１は上記制御信号に基づいて開駆動して第１負荷Ｌ１の電力供給を遮断する。
【００６０】
次に、図７及び図８を参照して、上記制御に基づいた動作の具体例について説明する。図７及び図８では、第１センサ機器６及び第２センサ機器７が検知情報に基づいて第１負荷Ｌ１の制御を行うものである。また図７は、第１センサ機器６による制御例を示している。図８は、第１センサ機器６と第２センサ機器７とによる様々な制御例を示している。
【００６１】
図７に示すように、第１センサ機器６が時間Ｔ１において人体検知した場合、動作保持時間ＫＴ（時間Ｔ１からＴ２までの期間）に亘りリレーユニット４に通信信号を送信するため、リレーユニット４の回路開閉制御部３１は動作保持時間ＫＴに亘り第１負荷Ｌ１に電力供給するように閉駆動している。
【００６２】
また、第１センサ機器６が時間Ｔ３において人体検知し、その後時間Ｔ４において再度第１センサ機器６が人体検知した場合、時間Ｔ３にて回路開閉制御部３１は第１負荷Ｌ１に電力供給するように閉駆動している。そして回路開閉制御部３１は、時間Ｔ４を基準として、時間Ｔ４から動作保持時間ＫＴに亘り第１負荷Ｌ１に電力供給するように閉駆動している。即ち、回路開閉制御部３１は、時間Ｔ３からの動作保持時間ＫＴである時間Ｔ５において第１負荷Ｌ１の電力供給を終了せずに、時間Ｔ４からの動作保持時間ＫＴである時間Ｔ６まで第１負荷Ｌ１の電力供給を行う。言い換えれば、回路開閉制御部３１は、時間Ｔ３から時間Ｔ６まで第１負荷Ｌ１に電力供給するように閉駆動している。
【００６３】
図８の左側に示すように、第１センサ機器６が時間Ｔ１０において人体検知した後、動作保持時間ＫＴ（時間Ｔ１０からＴ１１までの期間）経過後の時間Ｔ１２において第２センサ機器７が人体検知する。この場合には、第１センサ機器６の動作保持時間ＫＴ（時間Ｔ１０からＴ１１までの期間）に亘り回路開閉制御部３１は第１負荷Ｌ１に電力供給するように閉駆動する。そして第２センサ機器７の動作保持時間ＫＴ（時間Ｔ１２からＴ１３までの期間）に亘り回路開閉制御部３１は第１負荷Ｌ１に電力供給するように閉駆動する。即ち、第１センサ機器６及び第２センサ機器７のどちらか一方が人体検知した場合には、回路開閉制御部３１が閉駆動し、第１負荷Ｌ１を制御する。
【００６４】
また、図８の中央に示すように、第１センサ機器６が時間Ｔ１４において人体検知し、その後時間Ｔ１４からの動作保持時間ＫＴ（時間Ｔ１４からＴ１５までの期間）内の時間Ｔ１６に第２センサ機器７が人体検知する。この場合には、回路開閉制御部３１は時間Ｔ１４において第１負荷Ｌ１の電力供給を開始し、時間Ｔ１６からの動作保持時間ＫＴ（時間Ｔ１６からＴ１７までの期間）経過した後、第１負荷Ｌ１の電力供給を遮断する。即ち、回路開閉制御部３１は、時間Ｔ１４からＴ１７まで第１負荷Ｌ１に電力供給するように閉駆動している。
【００６５】
また、図８の右側に示すように、第１センサ機器６が時間Ｔ１８において人体検知し、その後時間Ｔ１８からの動作保持時間ＫＴ（時間Ｔ１８からＴ１９までの期間）内の時間Ｔ２０に再度第１センサ機器６が人体検知する。そして時間Ｔ２０からの動作保持時間ＫＴ（時間Ｔ２０からＴ２１までの期間）内の時間Ｔ２２において第２センサ機器７が人体検知する。この場合には、回路開閉制御部３１は時間Ｔ１８において第１負荷Ｌ１の電力供給を開始し、時間Ｔ２２からの動作保持時間ＫＴ（時間Ｔ２２からＴ２３までの期間）経過した後、第１負荷Ｌ１の電力供給を遮断する。即ち、回路開閉制御部３１は時間Ｔ１８から時間Ｔ２３まで第１負荷Ｌ１に電力供給するように閉駆動している。
【００６６】
次に、図９を参照して、制御システム１を備えた電力供給システム１００について説明する。
図９に示すように、住宅には、宅内に設置された各種機器（照明機器、エアコン、家電、オーディオビジュアル機器等）に電力を供給する電力供給システム１００が設けられている。電力供給システム１００は、家庭用の商用交流電源（ＡＣ電源）１０２を電力として各種機器を動作させる他に、太陽光により発電する太陽電池１０３の電力も各種機器に電源として供給する。電力供給システム１００は、直流電源（ＤＣ電源）を入力して動作するＤＣ機器１０５の他に、交流電源（ＡＣ電源）を入力して動作するＡＣ機器１０６にも電力を供給する。
【００６７】
電力供給システム１００には、同システム１００の分電盤としてコントロールユニット１０７及びＤＣ分電盤（直流ブレーカ内蔵）１０８が設けられている。また、電力供給システム１００には、住宅のＤＣ機器１０５の動作を制御する機器として制御ユニット１０９及びリレーユニット１１０が設けられている。
【００６８】
コントロールユニット１０７には、交流電源を分岐させるＡＣ分電盤１１１が交流系電力線１１２を介して接続されている。コントロールユニット１０７は、このＡＣ分電盤１１１を介して商用電源１０２に接続されるとともに、直流系電力線１１３を介して太陽電池１０３に接続されている。コントロールユニット１０７は、ＡＣ分電盤１１１から交流電力を取り込むとともに太陽電池１０３から直流電力を取り込み、これら電力を機器電源として所定の直流電力に変換する。そして、コントロールユニット１０７は、この変換後の直流電力を、直流系電力線１１４を介してＤＣ分電盤１０８に出力したり、又は直流系電力線１１５を介して蓄電池１１６に出力して同電力を蓄電したりする。コントロールユニット１０７は、ＡＣ分電盤１１１からＡＣ電力を取り込むのみならず、太陽電池１０３や蓄電池１１６の電力を交流電力に変換してＡＣ分電盤１１１に供給することも可能である。コントロールユニット１０７は、信号線１１７を介してＤＣ分電盤１０８とデータやり取りを実行する。
【００６９】
ＤＣ分電盤１０８は、直流電力対応の一種のブレーカである。ＤＣ分電盤１０８は、コントロールユニット１０７から入力した直流電力を分岐させ、その分岐後の直流電力を、直流系電力線１１８を介して制御ユニット１０９に出力したり、直流系電力線１１９を介してリレーユニット１１０に出力したりする。また、ＤＣ分電盤１０８は、信号線１２０を介して制御ユニット１０９とデータやり取りをしたり、信号線１２１を介してリレーユニット１１０とデータやり取りしたりする。
【００７０】
制御ユニット１０９には、複数のＤＣ機器１０５，１０５…が接続されている。これらＤＣ機器１０５は、直流電力及びデータの両方を１対の線によって搬送可能な直流供給線路１２２を介して制御ユニット１０９と接続されている。直流供給線路１２２は、ＤＣ機器の電源となる直流電圧に、高周波の搬送波によりデータを電送する通信信号を重畳する、いわゆる電力線搬送通信により、１対の線で電力及びデータの両方をＤＣ機器１０５に搬送する。制御ユニット１０９は、直流系電力線１１８を介してＤＣ機器１０５の直流電源を取得し、ＤＣ分電盤１０８から信号線１２０を介して得る動作指令を基に、どのＤＣ機器１０５をどのように制御するのかを把握する。そして、制御ユニット１０９は、指示されたＤＣ機器１０５に直流供給線路１２２を介して直流電圧及び動作指令を出力し、ＤＣ機器１０５の動作を制御する。
【００７１】
制御ユニット１０９には、宅内のＤＣ機器１０５の動作を切り換える際に操作するスイッチ１２３が直流供給線路１２２を介して接続されている。また、制御ユニット１０９には、例えば赤外線リモートコントローラからの発信電波を検出するセンサ１２４が直流供給線路１２２を介して接続されている。よって、ＤＣ分電盤１０８からの動作指示のみならず、スイッチ１２３の操作やセンサ１２４の検知によっても、直流供給線路１２２に通信信号を流してＤＣ機器１０５が制御される。
【００７２】
リレーユニット１１０には、複数のＤＣ機器１０５，１０５…がそれぞれ個別の直流系電力線１２５を介して接続されている。リレーユニット１１０は、直流系電力線１１９を介してＤＣ機器１０５の直流電源を取得し、ＤＣ分電盤１０８から信号線１２１を介して得る動作指令を基に、どのＤＣ機器１０５を動作させるのかを把握する。そして、リレーユニット１１０は、指示されたＤＣ機器１０５に対し、内蔵のリレーにて直流系電力線１２５への電源供給をオンオフすることで、ＤＣ機器１０５の動作を制御する。また、リレーユニット１１０には、ＤＣ機器１０５を手動操作するための複数のスイッチ１２６及びセンサ１２４が直流供給線路１２２を介して接続されている。これにより、スイッチ１２６の押操作及びセンサ１２４の検知情報によって直流供給線路１２２への電源供給をリレーにてオンオフすることにより、ＤＣ機器１０５が制御される。また本実施形態の制御システム１は、商用交流電源１０２と、コントロールユニット１０７、リレーユニット１１０、センサ１２４及びリレーユニット１１０に接続されるＤＣ機器１０５とにより構成されている。
【００７３】
ＤＣ分電盤１０８には、例えば壁コンセントや床コンセントの態様で住宅に建て付けられた直流コンセント１２７が直流系電力線１２８を介して接続されている。この直流コンセント１２７にＤＣ機器のプラグ（図示略）を差し込めば、同機器に直流電力を直接供給することが可能である。またＤＣ分電盤１０８と直流コンセント１２７との間には、表示装置１４２が設けられている。そして商用交流電源１０２、コントロールユニット１０７、表示装置１４２及び直流コンセント１２７にて本実施形態の制御システム１を構成している。
【００７４】
また、商用交流電源１０２とＡＣ分電盤１１１との間には、商用交流電源１０２の使用量を遠隔検針可能な電力メータ１２９が接続されている。電力メータ１２９には、商用電源使用量の遠隔検針の機能のみならず、例えば電力線搬送通信や無線通信の機能が搭載されている。電力メータ１２９は、電力線搬送通信や無線通信等を介して検針結果を電力会社等に送信する。
【００７５】
電力供給システム１００には、宅内の各種機器をネットワーク通信によって制御可能とするネットワークシステム１３０が設けられている。ネットワークシステム１３０には、同システム１３０のコントロールユニットとして宅内サーバ１３１が設けられている。宅内サーバ１３１は、インターネットなどのネットワークＮを介して宅外の管理サーバ１３２と接続されるとともに、信号線１３３を介して宅内機器１３４に接続されている。また、宅内サーバ１３１は、ＤＣ分電盤１０８から直流系配線１３５を介して取得する直流電力を電源として動作する。
【００７６】
宅内サーバ１３１には、ネットワーク通信による宅内の各種機器の動作制御を管理するコントロールボックス１３６が信号線１３７を介して接続されている。コントロールボックス１３６は、信号線１１７を介してコントロールユニット１０７及びＤＣ分電盤１０８に接続されるとともに、直流供給線路１３８を介してＤＣ機器１０５を直接制御可能である。コントロールボックス１３６には、例えば使用したガス量や水道量を遠隔検針可能なガス／水道メータ１３９が接続されるとともに、ネットワークシステム１３０の操作パネル１４０に接続されている。操作パネル１４０には、例えばドアホン子器やセンサやカメラからなる監視機器１４１が接続されている。
【００７７】
宅内サーバ１３１は、ネットワークＮを介して宅内の各種機器の動作指令を入力すると、コントロールボックス１３６に指示を通知して、各種機器が動作指令に準じた動作をとるようにコントロールボックス１３６を動作させる。また、宅内サーバ１３１は、ガス／水道メータ１３９から取得した各種情報を、ネットワークＮを通じて管理サーバ１３２に提供可能であるとともに、監視機器１４１で異常検出があったことを操作パネル１４０から受け付けると、その旨もネットワークＮを通じて管理サーバ１３２に提供する。
【００７８】
本実施形態によれば、以下の効果を奏することができる。
（１）本実施形態によれば、第１センサ機器６及び第２センサ機器７には、直流供給線路Ｗｄｌｃが直接接続される接続部１０ａが設けられる構成である。したがって、第１センサ機器６及び第２センサ機器７のそれぞれはＡＣ／ＤＣコンバータ２を省略することができる。その結果、これらセンサ機器６，７の小型化を図ることができる。
【００７９】
また、第１センサ機器６及び第２センサ機器７とも直流供給線路Ｗｄｌｃにて接続されるため、直流系電力線と信号線との両方をこれらセンサ機器に接続する構成と比較して、リレーユニット４と第１センサ機器６及び第２センサ機器７との配線構成を簡略化することができる。
【００８０】
（２）本実施形態によれば、制御システム１において第１センサ機器６及び第２センサ機器７のそれぞれがＡＣ／ＤＣコンバータを省略することができるため、制御システム１の大型化を抑制することができる。さらに、第１センサ機器６及び第２センサ機器７に固有のアドレスが割り振られることにより、リレーユニット４が第１センサ機器６及び第２センサ機器７の個々の信号に対応して第１負荷Ｌ１の制御を行うことができる。
【００８１】
（３）本実施形態によれば、制御システム１が第１センサ機器６及び第２センサ機器７のそれぞれに動作保持時間ＫＴを設定することにより、動作保持時間ＫＴを設定しない場合に生じる人体検知後に第１負荷Ｌ１が動作し続けてしまう問題を抑制することができる。
【００８２】
（４）本実施形態によれば、制御システム１が第１センサ機器６及び第２センサ機器７の動作保持時間ＫＴ及び照度ＬＸの判定値ＬＸＪを設定することにより、第１負荷Ｌ１が制御されるため、第１負荷Ｌ１が動作するための環境をより適したものとすることができる。その上、第１センサ機器６及び第２センサ機器７が判定値ＬＸＪ以下のときに第１負荷Ｌ１を点灯する、言い換えれば、上記判定値ＬＸＪより大きい照度ＬＸの場合には、第１負荷Ｌ１の点灯を行わないため、第１センサ機器６及び第２センサ機器７が検出する範囲が明るいときに第１負荷Ｌ１の点灯を抑制することができるようになる。したがって、第１負荷Ｌ１の余計な点灯を抑制することができるようになる。
【００８３】
（第２の実施形態）
図１０〜図１２を参照して、本発明のセンサ機器を備えた制御システムを具体化した第２の実施形態について説明する。本実施形態では、第１の実施形態と比較して、リレーユニット４と第１センサ機器６及び第２センサ機器７との間に設定器８が設けられた点、及びこの設定器８に伴い第１センサ機器６及び第２センサ機器７の制御構成が簡略化された点が異なる。以降では、第１の実施形態との相違点を中心に説明する。なお同一構成要素には同一符号を付し、その説明を省略する。
【００８４】
図１０に示すように、制御システム１は、リレーユニット４と設定器８及び設定器８とスイッチ５とがそれぞれ直流供給線路Ｗｄｌｃによりそれぞれ互いに接続されている。この設定器８は、第１センサ機器６及び第２センサ機器７のそれぞれの動作保持時間設定及び明るさ感度設定を行うコントロールパネルである表示器８ｂが設けられている。そして設定器８は、上記設定の情報を設定信号として第１センサ機器６及び第２センサ機器７に送信する。第１センサ機器６及び第２センサ機器７は、この設定信号に基づいてリレーユニット４に制御信号を送信する。
【００８５】
図１１に示すように、制御回路６ａには、設定器８によって第１センサ機器６の動作保持時間の設定及び明るさ感度の設定が行われることに伴い、動作保持時間設定部２８及び感度設定部２９がそれぞれ省略されている。これは第２センサ機器７も同様である。
【００８６】
図１２に示すように、設定器８は、直流供給線路Ｗｄｌｃを介してリレーユニット４（図１０参照）と接続する第１端子８ｃと直流供給線路Ｗｄｌｃを介してスイッチ５（図１０参照）と接続する第２端子８ｄと制御回路８ａとにより構成されている。そして制御回路８ａは、信号重畳分離回路４０、電源回路４１、制御部４２、記憶部４３、表示回路４４、設定インターフェイス４５及び表示器８ｂにより構成されている。
【００８７】
信号重畳分離回路４０は、リレーユニット４から設定器８に供給される信号重畳電力を直流電力と通信信号とに分離する機能及び設定器８からリレーユニット４に供給するために直流電力に通信信号を重畳する機能を併せ有するものである。
【００８８】
電源回路４１は、設定器８に供給される直流電力から制御回路８ａの他の回路の電力を生成している。
記憶部４３は、第１センサ機器６及び第２センサ機器７の各アドレスを記憶するともに、制御部４２に各アドレスを出力している。
【００８９】
表示回路４４は、表示器８ｂを駆動させるための回路である。設定インターフェイス４５は、表示器８ｂによって第１センサ機器６および第２センサ機器７のそれぞれの動作保持時間の設定及び明るさ感度の設定の操作の結果を信号として制御部４２に出力している。そして制御部４２は上記信号に基づいて表示回路４４に制御信号を出力する。表示回路４４はこの制御信号に基づいて表示器８ｂを駆動する。
【００９０】
本実施形態によれば、第１の実施形態の効果（１）〜（４）に加え、以下の効果を奏することができる。
（５）本実施形態によれば、設定器８により動作保持時間ＫＴ及び照度ＬＸの判定値ＬＸＪを設定する構成である。したがって、第１センサ機器６に設定器が設けられる構成と比較して、第１センサ機器６の第１負荷Ｌ１の制御に関する設定を容易に行うことができるようになる。
【００９１】
詳細には、第１センサ機器６に設定器が設けられる構成では、第１センサ機器６を天井面に一度設置した後に設定を変更するときには、第１センサ機器６を一度取り外して、第１センサ機器６の設定器を用いて設定した後、第１センサ機器を再度天井面に取り付ける必要があった。したがって、第１センサ機器６の設定作業が煩雑であった。
【００９２】
その点において、本発明では、第１センサ機器６とは各別に設けられた設定器８により、第１センサ機器６の設定を行うことが可能であるため、第１センサ機器６を天井面に一度設置した後に設定を変更する場合に第１センサ機器６を取り外す作業及び再度取り付ける作業を省略することができる。これは第２センサ機器７についても同様である。
【００９３】
（６）本実施形態によれば、設定器８に第１センサ機器６及び第２センサ機器７の個別のアドレスが送信され、設定器８はそのアドレスを記憶している。したがって、設定器８によって、第１センサ機器６及び第２センサ機器７のそれぞれの動作保持時間ＫＴ及び照度ＬＸの判定値ＬＸＪを個別に設定することができる。
【００９４】
（第３の実施形態）
図１３及び図１４を参照して、本発明のセンサ機器を備えた制御システムを具体化した第３の実施形態について説明する。本実施形態では、第１の実施形態と比較して、リレーユニット４が省略された点、設定器８が追加された点及び第１センサ機器６及び第２センサ機器７と第１負荷Ｌ１及び第２負荷Ｌ２との接続構造、及び第１センサ機器６及び第２センサ機器７の制御構成が異なる。以降では、第１の実施形態との相違点を中心に説明する。なお同一構成要素には同一符号を付し、その説明を省略する。
【００９５】
図１３に示すように、制御システム１は、ＡＣ／ＤＣコンバータ２が設定器８に直流系電力線Ｗｄｃによって接続され、設定器８が第１センサ機器６及び第２センサ機器７と直流供給線路Ｗｄｌｃによってそれぞれ接続されている。また第１センサ機器６及び第２センサ機器７とは、第１負荷Ｌ１及び第２負荷Ｌ２と直流供給線路Ｗｄｌｃによりそれぞれ接続されている。
【００９６】
図１４に示すように、制御回路６ａには、信号重畳分離回路２０から直流電力が供給される第１回路開閉制御部５０と第２回路開閉制御部５１とが設けられている。動作保持時間設定部２８及び感度設定部２９のそれぞれは、２回路構成であり、各回路において第１負荷Ｌ１及び第２負荷Ｌ２のそれぞれの制御のための設定を行う。
【００９７】
制御部２２は、熱線センサ回路２５及び明るさセンサ回路２６からの検出情報に基づく制御信号を第１回路開閉制御部５０及び第２回路開閉制御部５１へ出力する。これら第１回路開閉制御部５０及び第２回路開閉制御部５１は、上記制御信号に基づいて、第１負荷Ｌ１及び第２負荷Ｌ２の電力供給のオンオフの制御を行う。
【００９８】
本実施形態の制御システム１では、トイレ室の照明器具及び換気扇の制御に適用することができる。具体的には、第１負荷Ｌ１が照明器具に対応し、第２負荷Ｌ２が換気扇に対応する。以下、第１負荷Ｌ１を照明器具Ｒ１とし、第２負荷Ｌ２を換気扇Ｒ２とする。
【００９９】
この場合には、動作保持時間設定部２８では、照明器具Ｒ１及び換気扇Ｒ２のそれぞれの動作保持時間ＫＴ１，ＫＴ２の時間を互いに異なるものに設定する。具体的には、例えば照明器具Ｒ１の動作保持時間ＫＴ１を約１分とし、換気扇Ｒ２の動作保持時間ＫＴ２を動作保持時間ＫＴ１より長い期間である約５分とする。これにより、照明器具Ｒ１の省電力化を図るとともに、換気扇Ｒ２によるトイレ室内の臭気の除去の効果が向上するようになる。
【０１００】
また感度設定部２９では、照明器具Ｒ１及び換気扇Ｒ２のそれぞれの感度設定を互いに異なるものに設定する。具体的には、例えば照明器具Ｒ１の照度ＬＸの判定値ＬＸＪを「約１００」ルクスとし、換気扇Ｒ２の判定値ＬＸＪを「０」ルクスとする。これにより、換気扇Ｒ２は、照明器具Ｒ１の点灯及び消灯にかかわらず駆動するようになる。
【０１０１】
本実施形態によれば、第１の実施形態の効果（１）〜（４）及び第２の実施形態の効果（５）及び（６）に加え、以下の効果を奏することができる。
（７）本実施形態によれば、負荷の種類に応じて動作保持時間ＫＴ及び照度ＬＸの判定値ＬＸＪを個別に設定する構成である。したがって、各負荷にて必要とされる作動条件にて動作することができるため、負荷のそれぞれの役割に適した動作を行うことができる。
【０１０２】
（その他の実施形態）
上記各実施形態のセンサ機器及びこれを備えた制御システム１は、上記各実施形態に限定されることなく、例えば以下の変更が可能である。また、以下の変形例は、上記各実施形態についてのみ適用されるものでなく、異なる変形例同士を互いに組み合わせて実施する場合にも適用することもできる。
【０１０３】
上記各実施形態では、第１センサ機器６及び第２センサ機器７の両方ともが明るさセンサ回路２６を備えていたが、第１センサ機器６のみが明るさセンサ回路２６を備える構成とすることもできる。また第１センサ機器６及び第２センサ機器７の両方ともに明るさセンサ回路２６を省略する構成とすることもできる。この場合、図５に示すセンサ制御処理では、ステップＳ１１の照度ＬＸの判定の処理が省略される。
【０１０４】
上記実施形態では、第１センサ機器６及び第２センサ機器７の両方ともが熱線センサ回路２５を備えていたが、第１センサ機器６のみが熱線センサ回路２５を備える構成とすることもできるし、第１センサ機器６及び第２センサ機器７の両方ともが熱線センサ回路２５を省略する構成とすることもできる。この場合、図５に示すセンサ制御処理では、ステップＳ１０、Ｓ１４及びＳ１６の処理が省略される。そしてステップＳ１３において保持時間ＫＴ以内であれば、ステップＳ１３の処理を再度行うように制御する。
【０１０５】
第２の実施形態では、リレーユニット４と設定器８とが個別に設けられる構成としたが、リレーユニット４と設定器８とを一体に構成することもできる。即ちリレーユニット４内に設定器８の制御構成と組み込むことにより、リレーユニット４に表示器が設けられるとともに表示器による操作により動作保持時間ＫＴ及び照度ＬＸの判定値ＬＸＪを設定することができる。また設定器８内にリレーユニット４の制御構成を組み込むことにより、即ち設定器８内に回路開閉制御部３１が設けられることにより、設定器８の制御部４２の制御信号に基づいて回路開閉制御部３１が対応した負荷の電力供給のオンオフを制御することができる。
【０１０６】
第１及び第２の実施形態では、第１センサ機器６及び第２センサ機器７の動作保持時間ＫＴ及び照度ＬＸの判定値ＬＸＪのそれぞれが互いに同一の値として設定されたが、第３の実施形態のように第１センサ機器６及び第２センサ機器７の動作保持時間ＫＴ及び照度ＬＸの判定値ＬＸＪは互いに異なる値として設定することもできる。
【０１０７】
上記各実施形態では、第１センサ機器６及び第２センサ機器７の両方ともが、直流供給線路Ｗｄｌｃにより接続される構成であったが、これらセンサ機器６，７は、直流系電力線Ｗｄｃにより接続することもできる。この場合には、別途信号線（不図示）を配線する必要がある。
【符号の説明】
【０１０８】
１…制御システム、２…ＡＣ／ＤＣコンバータ、４…リレーユニット、４ａ…制御回路、４ｂ…第１端子、４ｃ…第２端子、４ｄ…第３端子、５…スイッチ、６…第１センサ機器、６ａ…制御回路、７…第２センサ機器、８…設定器、８ａ…制御回路、８ｂ…表示部、８ｃ…第１端子、８ｄ…第２端子、１０…スイッチ装置、１０ａ…接続部、１１…化粧プレート、１１ａ…窓穴、１２…集光レンズ、１３…取付部材、１３ａ…基部、１３ｂ…取付部、２０…信号重畳分離回路（送信部）、２１…電源回路、２２…制御部、２３…記憶部、２４…アドレス設定部、２５…熱線センサ回路（センサ部）、２６…明るさセンサ回路（センサ部）、２７…動作表示部、２８…動作保持時間設定部、２９…感度設定部、３０…受電部、３１…回路開閉制御部、３２…制御部、３３…記憶部、３４…操作入力受付部、３５…信号重畳分離回路（受信部）、３６…動作表示部、４０…信号重畳分離回路、４１…電源回路、４２…制御部、４３…記憶部、４４…表示回路、４５…設定インターフェイス、５０…第１回路開閉制御部（電力供給制御部）、５１…第２回路開閉制御部（電力供給制御部）、１００…電力供給システム、Ｌ１…第１負荷（負荷機器）、Ｌ２…第２負荷（負荷機器）、Ｒ１…第１負荷としての照明器具、Ｒ２…第２負荷としての換気扇、Ｗａｃ…交流系電力線、Ｗｄｃ…直流系電力線、Ｗｄｌｃ…直流供給線路。
【図１】
2011080764.tif 000003
【図２】
2011080764.tif 000004
【図３】
2011080764.tif 000005
【図４】
2011080764.tif 000006
【図５】
2011080764.tif 000007
【図６】
2011080764.tif 000008
【図７】
2011080764.tif 000009
【図８】
2011080764.tif 000010
【図９】
2011080764.tif 000011
【図１０】
2011080764.tif 000012
【図１１】
2011080764.tif 000013
【図１２】
2011080764.tif 000014
【図１３】
2011080764.tif 000015
【図１４】
2011080764.tif 000016
【図１５】
2011080764.tif 000017